(57)【特許請求の範囲】
【請求項１】
容器体の表面に凹設された収容部と該収容部を覆うカバーとの間に収容物が収容された収容部構造であって、
前記収容部の側壁面を当該収容部の底部から開口方向へ向かうに従って外側へ傾斜した傾斜面で構成して前記収容部の開口部分での幅寸法を前記カバーの幅寸法より広げ、前記傾斜面で構成された前記側壁面と前記カバーの縁部との間に間隙を設けて開口するとともに、
この開口から流入する空気を前記収容部内へ案内するガイドを前記側壁面で構成したことを特徴とする収容部構造。
【請求項２】
前記傾斜面を相対向して配置された各側壁面に設定するとともに、当該傾斜面が設定された各側壁面と前記カバーとの間に間隙を設けたことを特徴とする請求項１記載の収容部構造。
【請求項３】
前記カバーに通気穴を設けたことを特徴とする請求項１又は２記載の収容部構造。
【請求項４】
前記収容物を、平面状に形成したことを特徴とする請求項１、２又は３記載の収容部構造。
【請求項５】
前記収容物を、前記カバー側を構成するカバー側構成部と前記底部側を構成する底部側構成部とを有する多重構造としたことを特徴とする請求項１から４にいずれか記載の収容部構造。
【請求項６】
請求項１から請求項５の収容部構造を有することを特徴とした脱臭剤、消臭剤、芳香剤、及び防虫剤等の物品。
【請求項７】
開閉するドアに取り付けられ使用されることを特徴とする請求項１から請求項５の収容部構造を有した脱臭剤。
【発明の詳細な説明】
【技術分野】
【０００１】
本発明は、通気性を有する収容部構造、及び脱臭剤、消臭剤、芳香剤、及び防虫剤等の物品、並びに脱臭剤に関する。
【背景技術】
【０００２】
従来、トイレやリビングでは、芳香材が使用されている（例えば、特許文献１参照。）。
【０００３】
この芳香材は、磁石を磁着可能な亜鉛引鋼板と、該亜鉛引鋼板に積層された基材とを備えており、該基材には、香料が保持されるとともに、複数の穴が設けられている。
【０００４】
一方、この芳香材は、平板状の装飾体を備えており、該装飾体には、小径の磁石が接着剤層を介して磁石が固定されている。
【０００５】
この装飾体は、前記磁石が前記基剤に設けられた穴に挿入されるとともに、前記亜鉛引鋼板に磁着されており、前記基剤は、前記装飾体によって前記亜鉛引鋼板に固定されている。
【先行技術文献】
【特許文献】
【０００６】
【特許文献１】特開２００４−３２１２２５号公報
【発明の概要】
【発明が解決しようとする課題】
【０００７】
しかしながら、このような従来の芳香材にあっては、前記基剤の裏面が前記亜鉛引鋼板に密着している。
【０００８】
このため、基剤の前面しか機能発揮面として関せず、効率が悪いという問題があった。
【０００９】
本発明は、このような従来の課題に鑑みてなされたものであり、効果を有効に発揮することができる収容部構造、及び脱臭剤、消臭剤、芳香剤、及び防虫剤等の物品、並びに脱臭剤を提供することを目的とするものである。
【課題を解決するための手段】
【００１０】
前記課題を解決するために本発明の請求項１の収容部構造においては、容器体の表面に凹設された収容部と該収容部を覆うカバーとの間に収容物が収容された収容部構造であって、前記収容部の側壁面を当該収容部の底部から開口方向へ向かうに従って外側へ傾斜した傾斜面で構成して前記収容部の開口部分での幅寸法を前記カバーの幅寸法より広げ、前記傾斜面で構成された前記側壁面と前記カバーの縁部との間に間隙を設けて開口するとともに、この開口から流入する空気を前記収容部内へ案内するガイドを前記側壁面で構成した。
【００１１】
すなわち、容器体の表面には、収容部が凹設されており、該収容部はカバーで覆われている。これにより、前記収容部内に収容された収容物の不用意な離脱が防止される。
【００１２】
そして、前記収容部の側壁面は、当該収容部の底部から開口方向へ向かうに従って外側へ傾斜する傾斜面で構成されており、該傾斜面で構成された前記側壁面と前記カバーとの間には、間隙が確保されている。このため、この間隙を介して前記収容部内に空気を通流させることができる。
【００１３】
このとき、この通流路を構成する前記側壁面は、底部から開口方向へ向かうに従って外側へ傾斜した傾斜面で構成されている。このため、前記間隙から流入する空気は、前記側壁面が構成する傾斜面に沿って前記収容物の裏側にも案内される。
【００１４】
また、本発明の請求項２の収容部構造にあっては、前記傾斜面を相対向して配置された各側壁面に設定するとともに、当該傾斜面が設定された各側壁面と前記カバーとの間に間隙を設けた。
【００１５】
すなわち、前記傾斜面は、相対向して配置された各側壁面に設定されており、当該傾斜面が設定された各側壁面と前記カバーとの間に間隙が形成されている。このため、一方側の間隙から前記傾斜面に沿って前記収容物の裏側に流入した空気は、他方側に設定された傾斜面に沿って当該他方側の間隙から排出される。
【００１６】
さらに、請求項３の収容部構造では、前記カバーに通気穴を設けた。
【００１７】
すなわち、前記収容部の開口部を覆うカバーには、通気穴が設けられており、当該カバーの通気穴から流入した空気は、前記カバー側に位置する前記収容物の部位に接する。
【００１８】
一方、前記カバーと前記側壁面間の間隙から流入した空気は、前記傾斜面に沿って前記収容物の裏側に案内された後、前記カバーに設けられた前記通気穴から排出され得る。
【００１９】
加えて、請求項４の収容部構造にあっては、前記収容物を、平面状に形成した。
【００２０】
すなわち、前記収容物は平面状に形成されている。このため、前記間隙から前記側壁面が構成する傾斜面に沿って案内された空気は、平面状に形成された当該収容物の裏面側にも供給される。
【００２１】
そして、請求項５の収容部構造においては、前記収容物を、前記カバー側を構成するカバー側構成部と前記底部側を構成する底部側構成部とを有する多重構造とした。
【００２２】
すなわち、前記収容物は、前記カバー側を構成するカバー側構成部と、前記底部側を構成する底部側構成部とを有する多重構造からなる。このため、前記間隙から前記側壁面が構成する傾斜面に沿って案内された空気は、前記カバー側構成部と前記底部側構成部間にも供給される。
【００２３】
また、請求項６の脱臭剤、消臭剤、芳香剤、及び防虫剤等の物品にあっては、請求項１から請求項５の収容部構造を有する。
【００２４】
これにより、脱臭剤、消臭剤、芳香剤、及び防虫剤等の物品においても、前述した作用が得られる。
【００２５】
さらに、請求項７の脱臭剤においては、請求項１から請求項５の収容部構造を有し、開閉されるドアに取り付けられ使用される。
【００２６】
すなわち、前記収容部構造を備えた脱臭剤は、開閉操作されるドアに取り付けられ使用される。
【００２７】
このため、前記ドアの開き閉めに伴い空気が正面から当たる頻度が多くなり、傾斜面に当たった空気が効率良く収容部内に取り込まれる。
【００２８】
また、冷蔵庫で使用する際には、庫内で空気が循環しており、空気の動きがある。このため、効率良く前記収容部内に空気が取り込まれる。
【発明の効果】
【００２９】
以上説明したように本発明の請求項１の収容部構造にあっては、収容部の側壁面を当該収容部の底部から開口方向へ向かうに従って外側へ傾斜した傾斜面で構成するとともに、該傾斜面で構成された前記側壁面と前記カバーとの間に間隙を形成したので、この間隙を介して前記収容部内に空気を通流させることができる。
【００３０】
このとき、この通流路を構成する前記側壁面は、底部から開口方向へ向かうに従って外側へ傾斜した傾斜面で構成されている。このため、前記間隙から流入する空気を、前記側壁面が構成する傾斜面に沿って前記収容物の裏側にも案内することができる。
【００３１】
このため、外気と前記収容物との接触が、専ら前記カバー側のみで行われる場合と比較して、前記収容物による効果を前記カバー側のみならず、その裏側でも発揮することができ、当該収容物による効果を有効に発揮することができる。
【００３２】
また、本発明の請求項２の収容部構造にあっては、前記傾斜面を相対向して配置された各側壁面に設定し、当該傾斜面が設定された各側壁面と前記カバーとの間に間隙を形成した。
【００３３】
このため、一方側の間隙から前記傾斜面に沿って前記収容物の裏側に流入した空気を、他方側に設定された傾斜面に沿って当該他方側の間隙から排出することができる。これにより、前記収容物の裏側での通流効率が高められ、前記収容物が発揮する効果を高めることができる。
【００３４】
さらに、請求項３の収容部構造では、前記収容部の開口部を覆うカバーに通気穴が設けられており、当該カバーの通気穴から流入した空気を、前記収容物の前記カバー側に供給することができる。
【００３５】
一方、前記カバーと前記側壁面間の間隙から流入した空気は、前記傾斜面に沿って前記収容物の裏側に案内された後、前記カバーに設けられた前記通気穴から排出することもできる。
【００３６】
このため、前記収容物が通気性を有する場合に、前記空気を透過させることができ、当該収容物による効果をさらに高めることができる。
【００３７】
加えて、請求項４の収容部構造にあっては、前記収容物は平面状に形成されており、前記間隙から前記側壁面が構成する傾斜面に沿って案内された空気を、平面状に形成された当該収容物の裏面側に供給することができる。
【００３８】
このため、外気と前記収容物との接触が、専ら前記カバー側の面のみで行われる場合と比較して、前記収容物による効果を前記カバー側の面のみならず、その裏面側でも発揮することができる。このように、当該収容物による効果を前述の両面で発揮することができ、その効率を高めることができる。
【００３９】
そして、請求項５の収容部構造においては、前記収容物は前記カバー側を構成するカバー側構成部と前記底部側を構成する底部側構成部とを有する多重構造からなり、前記間隙から前記側壁面が構成する傾斜面に沿って案内された空気を、前記カバー側構成部と前記底部側構成部間に供給することができる。
【００４０】
この構造においては、前記カバー側構成部による効果と前記底部側構成部による効果とを、両者間を通過する際に付与することができる。これにより、当該収容物による効果をさらに高めることができる。
【００４１】
また、請求項６の脱臭剤、消臭剤、芳香剤、及び防虫剤等の物品においても、前述した作用・効果を得ることができる。
【００４２】
さらに、請求項７の脱臭剤においては、前記収容部構造を備えた脱臭剤が開閉操作されるドアに取り付けられ使用される。
【００４３】
このため、前記ドアの開き閉めに伴い空気が正面から当たる頻度が多くなり、傾斜面に当たった空気を、効率良く収容部内に取り込むことができる。
【００４４】
また、冷蔵庫で使用する際には、庫内で空気が循環しており、空気の動きがある。このため、効率良く前記収容部内に空気を取り込むことができる。
【００４５】
これらによって、前述した作用効果が顕著となる。
【図面の簡単な説明】
【００４６】
【図１】本発明の一実施の形態を示す図である。
【図２】同実施の形態の後面側を示す斜視図である。
【図３】同実施の形態の外装部品を示す斜視図である。
【図４】図２のＡ−Ａ線に沿った断面図である。
【図５】図２のＢ−Ｂ線に沿った断面図である。
【図６】図１のＣ−Ｃ線に沿った断面図である。
【発明を実施するための形態】
【００４７】
以下、本発明の一実施の形態を図に従って説明する。
【００４８】
図１は、本実施の形態にかかる収容部構造１を備えた脱臭剤２を示す図であり、該脱臭剤２は、冷蔵庫のドアポケットに係止され使用される冷蔵庫用脱臭剤である。
【００４９】
この脱臭剤２は、矩形状の容器体１１と、該容器体１１の上面開口部を閉鎖するキャップ１２と、前記容器体１１に装着された外装部品１３とによって構成されている。
【００５０】
前記容器体１１は、図１及び図２に示すように、横長の長方形状に形成された底面２１と、該底面２１の前縁より起立した前面２２と、前記底面２１の左縁より起立した左側面２３と、前記底面２１の右縁より起立した右側面２４と、前記底面２１の後縁より起立した後面２５とによって矩形容器状に形成されており、前記前面２２と前記後面２５間の厚み寸法は薄肉に形成されている。
【００５１】
前記容器体１１の上縁部には、側方へ突出した鍔部３１が全周に渡って形成されており、当該鍔部３１より上方側には、前記キャップ１２が外嵌した状態で装着されている。該キャップ１２には、複数の開口部３２，・・・が開設されており、前記容器体１１内に収容されたゲル状芳香消臭剤で芳香消臭効果を得られるように構成されている。
【００５２】
前記後面２５は平坦面で構成されており、前記前面２２は、左右方向中央部へ向かうに従って前方に突出した横断面湾曲形状に形成されている。この前面２２の中央部には、図１に示したように、内側に後退した凹部が前記底面２１から上面開口部に渡って形成されており、当該容器体１１には、前記凹部によって収容部４１が形成されている。
【００５３】
前記外装部品１３は、図３に示すように、矩形リング状の環状バンド部５１を備えており、該環状バンド部５１が前記容器体１１の底面２１側から外嵌するとともに、前記鍔部３１に当接した状態で位置決めされるように構成されている（図１及び図２参照）。
【００５４】
このとき、前記容器体１１の前記後面２５には、図４及び及び図５に示すように、返し５０，・・・が設けられており、各返し５０，・・・は、前記底面２１側から上面開口部へ向かうに従って幅広となる三角形状に形成されるとともに、その厚み寸法が前記底面２１から前記上部開口部側へ向かうに従って厚肉となるように設定されている。これにより、前記外装部品１３は、前記環状バンド部５１の下縁が前記各返し５０，・・・の上縁に係止された状態で下方への不用意な抜けが防止されるように構成されている。
【００５５】
この環状バンド部５１の前面部５２の中央からは、図３に示したように、縦長矩形状のフロントカバー部５３が下方へ向けて延出しており、該フロントカバー部５３には、縦長の通気穴５４，・・・が複数開設されている。前記フロントカバー部５３の下端には、裏面側へ向けて延出した底面部５５が一体形成されおり、該底面部５５の中央部には、前記容器体１１の前記底面２１へ向けてさらに延出した延出部５６が形成されている。該延出部５６の先端部には、図４にも示すように、前記容器体１１の前記底面２１に凹設された係合凹部５７と係合する係合凸部５８が形成されており、前記係合凸部５８が前記係合凹部５７に係合した状態で当該外装部品１３が前記容器体１１に固定されている。
【００５６】
前記フロントカバー部５３の前記底面部５５の一部は、図１及び図３に示したように、前方へ向けて延出しており、当該前方延出部５５ａによって、当該脱臭剤２の自立性が高められている。
【００５７】
前記フロントカバー部５３の前記底面部５５の左縁及び右縁からは、図３に示したように、底側左面部６１及び底側右面部６２が上方へ向けて延出しており、この底側左面部６１及び底側右面部６２は、前記フロントカバー部５３の左縁及び右縁に接続されている。
【００５８】
これにより、当該外装部品１３を前記容器体１１に装着した状態では、図１及び図４に示すように、前記フロントカバー部５３と、前記容器体１１の前記前面２２に形成された前記収容部４１と、前記フロントカバー部５３の前記底面部５５とで包囲された収容空間７１が形成されるように構成されている。
【００５９】
この収容空間７１には、図６に示したように、シート状の収容物としての脱臭シート７２が収容されるように構成されている。この脱臭シート７２は、前記底側左面部６１及び前記底側右面部６２によって位置決めされており、図４に示したように、前記収容部４１に設けられた抜け止め７３によって不用意な離脱が防止されている。
【００６０】
前記脱臭シート７２は活性炭を含有した薄肉の縦長板状に形成されており、この縦長板状部材は、長さ方向中央部で折り返されている。これにより、当該脱臭シート７２は、図６に示したように、前記収容部４１に収容された状態で前記フロントカバー部５３側に配置された平面板状のカバー側構成部７４と、前記収容部４１の底部７５側に配置された平面板状の底部側構成部７６とによって二重構造を成しており、前記カバー側構成部７４と前記底部側構成部７６とが連設された折返し部分が上側となるように配置されている。
【００６１】
この脱臭シート７２が収容された前記収容部４１において、相対向して配置された左側壁面７７及び右側壁面７９は、当該収容部４１の前記底部７５から当該収容部４１の開口方向へ向かうに従って外側へ傾斜した傾斜面で構成されており、該傾斜面で構成された前記左側壁面７７と前記フロントカバー部５３との間には左間隙７８が形成されている。また、前記右側壁面７９と前記フロントカバー部５３との間には、右間隙８０が形成されている。
【００６２】
このとき、前記底部７５は、湾曲面で形成される一方、前記脱臭シート７２の前記底部側構成部７６は平面板状に形成されており、前記底部側構成部７６の左側部及び右側部と前記底部７５との間には、僅かな間隙Ｋ１，Ｋ１が形成されている。また、前記カバー側構成部７４と前記底部側構成部７６との間にも左方及び右方へ開口した間隙Ｋ２，Ｋ２が形成されている。
【００６３】
前記外装部品１３における前記環状バンド部５１の後面部８１には、図２及び図３に示したように、当該脱臭剤２を挟持箇所を挟持して取り付けるクリップ８２が設けられており、該クリップ８２は、一対のアーム８３，８３を備えている。
【００６４】
各アーム８３，８３は、図２に示したように、前記容器体１１に外嵌する前記環状バンド部５１より後方へ向けて延出した板状の延出部９１と、該延出部９１より斜め下方へ向けて延出した板状の屈曲部９２と、該屈曲部９２より下方へ向けて延出し前記容器体１１の前記後面２５に沿って延在する延在部９３とで構成されており、前記延出部９１と前記屈曲部９２と前記延在部９３とで形成された角部によって各アーム８３，８３のショルダー部９４，９４が構成されている。両アーム８３，８３の前記延在部９３，９３は、下方へ向かうに従って他方の延在部９３に近接するように前記容器体１１の上下方向に対して傾斜して設けられており、両延在部９３，９３は、逆ハの字状に配置されている。
【００６５】
前記各アーム８３，８３の前記延在部９３，９３の先端には、前記グリップ部１０１が支持されており、該グリップ部１０１が設けられた前記各延在部９３，９３の先端には、図５にも示すように、前記容器体１１の幅方向、すなわち該容器体１１に対してやや斜めに配置された前記各延在部９３，９３の略幅方向に延在する薄肉部１０２，１０２が形成されている。この薄肉部１０２が構成するＰＰヒンジによって、前記グリップ部１０１は、その中途部が前記アーム８３，８３の先端部に傾倒可能に支持されており、前記薄肉部１０２は、前記グリップ部１０１の傾倒中心軸１０３を形成するように構成されている。
【００６６】
前記グリップ部１０１は、図２に示したように、前記両アーム８３，８３の先端側に配置された先端側構成部１１１と、該先端側構成部１１１より前記両アーム８３，８３の基端側へ向けて延出した基端側構成部１１２とで構成されており、該基端側構成部１１２は、前記両アーム８３，８３間に配置されている。
【００６７】
前記グリップ部１０１の支持部分である前記薄肉部１０２を境とする先端側の前記先端側構成部１１１は、図２及び図３に示したように、横長形状に形成されており、該先端側構成部１１１は、前記各アーム８３，８３より側方へ延出する長さ寸法に設定されている。この先端側構成部１１１は、上下方向中央部が前記容器体１１側へ向けて突出する湾曲面で構成されており、その突出部分は、前記挟持箇所に当接される当接部としての下方抑え部１２１を構成している。
【００６８】
前記基端側構成部１１２は、前記両アーム８３，８３間に設けられており、前記先端側構成部１１１の上縁より上方へ向けて延出した上方延出部１３１と、該上方上方延出部１３１の上端に設けられた押圧部１３２とによって構成されている。
【００６９】
該押圧部１３２は、図４にも示すように、前記上方延出部１３１より前記容器体１１側へ向けて傾斜した傾斜面１４１と、該傾斜面１４１の先端より延出して前記容器体１１の前記後面２５に沿って延在する押圧面１４２と、該押圧面１４２の上縁より後方へ向けて延出した後方延出面１４３と、該後方延出面１４３、前記傾斜面１４１、及び前記押圧面１４２の両縁を連設した連設面１４４，１４４とによって後方へ向けて開口した容器状に形成されており、その剛性が高められている。
【００７０】
そして、前記押圧面１４２は、図３に示したように、前記挟持箇所に当接される当接部としての上方抑え部１５１を構成しており、図２に示したように、該上方抑え部１５１の長さ寸法Ｌ１は、前記下方抑え部１２１の長さ寸法Ｌ２より短く設定されている。
【００７１】
以上の構成にかかる本実施において、容器体１１の表面である前面２２には、その中央部に収容部４１が凹設されており、該収容部４１はカバー部としてのフロントカバー部５３で覆われている。このため、前記収容部４１内に収容された収容物としての脱臭シート７２の不用意な離脱を防止できる。
【００７２】
また、前記収容部４１内に前記脱臭シート７２を収容することで、当該脱臭シート７２を、前記容器体１１内に収容されたゲル状芳香消臭剤と分離して保持することができる。これにより、ゲル状芳香消臭剤による芳香消臭効果と、前記脱臭シート７２による脱臭効果とを得ることができる。
【００７３】
そして、前記収容部４１の左側壁面７７及び右側壁面７９は、当該収容部４１の底部７５から開口方向へ向かうに従って外側へ傾斜する傾斜面で構成されており、該傾斜面で構成された前記各側壁面７７，７９と前記フロントカバー部５３との間には、左間隙７８及び右間隙８０が確保されている。このため、これらの間隙７８，８０を介して前記収容部４１内に空気を通流させることができる。
【００７４】
このとき、この通流路を構成する前記各側壁面７７，７９は、前記底部７５から開口方向へ向かうに従って外側へ傾斜した傾斜面で構成されている。このため、前記各間隙７７，７９から流入する空気を、前記各側壁面７７，７９が構成する傾斜面に沿って前記脱臭シート７２の裏側にも案内することができる。
【００７５】
このため、外気と前記脱臭シート７２との接触が、専ら前記フロントカバー部５３側のみで行われる場合と比較して、前記脱臭シート７２による効果を前記フロントカバー部５３側のみならず、その裏側でも発揮することができ、当該脱臭シート７２による効果を有効に発揮することができる。
【００７６】
そして、前記傾斜面は、相対向して配置された各側壁面７７，７９に設定されており、当該傾斜面が設定された各側壁面７７，７９と前記フロントカバー部５３との間に前記各間隙７８，８０が形成されている。
【００７７】
このため、左右いずれか一方の間隙７８，８０から前記傾斜面に沿って前記脱臭シート７２の裏側に流入した空気を、他方側に設定された傾斜面に沿って当該他方側の間隙７８，８０から排出することができる。これにより、前記脱臭シート７２の裏側での通流効率が高められ、前記脱臭シート７２が発揮する効果を高めることができる。
【００７８】
このとき、前記収容部４１の開口部を覆うフロントカバー部５３には、通気穴５４，・・・が設けられており、当該フロントカバー部５３の各通気穴５４，・・・から流入した空気を、前記脱臭シート７２の前記フロントカバー部５３側に供給することができる。
【００７９】
一方、前記フロントカバー部５３と前記各側壁面７７，７９間の各間隙７８，８０から流入した空気は、前記傾斜面に沿って前記脱臭シート７２の裏側に案内された後、前記フロントカバー部５３に設けられた前記各通気穴５４，・・・から排出することもできる。
【００８０】
このため、本実施の形態の用に通気性を有した前記脱臭シート７２を収容物とした際には、前記空気を透過させることができるので、当該脱臭シート７２による効果をさらに高めることができる。
【００８１】
また、前記脱臭シート７２は平面状に形成されており、前記各間隙７８，８０から前記各側壁面７７，７９が構成する傾斜面に沿って案内された空気を、平面状に形成された当該脱臭シート７２の裏面側に供給することができる。
【００８２】
このため、外気と前記脱臭シート７２との接触が、専ら前記フロントカバー部５３側の前面のみで行われる場合と比較して、前記脱臭シート７２による効果を前記フロントカバー部５３側の前面のみならず、その裏面側でも発揮することができる。
【００８３】
このように、当該脱臭シート７２による効果を両面で発揮することができ、その効率を高めることができる。
【００８４】
そして、前記脱臭シート７２は、折り畳まれており、前記フロントカバー部５３側を構成するカバー側構成部７４と、前記底部７５側を構成する底部側構成部７６とを有する多重構造とされており、前記各間隙７８，８０から前記各側壁面７７，７９が構成する傾斜面に沿って案内された空気を、前記カバー側構成部７４と前記底部側構成部７６間に供給することができる。
【００８５】
このような構造においては、前記カバー側構成部７４による効果と前記底部側構成部７６による効果とを、両者間を通過する際に付与することができる。
【００８６】
したがって、当該脱臭シート７２による効果を最大限に発揮することができる。
【００８７】
加えて、本実施の形態では、前記脱臭剤２は、冷蔵庫用脱臭剤であり、前記収容部構造１を備えた冷蔵庫用の脱臭剤２は、開閉操作される冷蔵庫のドアに、前面が開閉方向になるように取り付けられ使用される。
【００８８】
このため、前記ドアの開き閉めに伴って空気が前面２に当たる頻度が多くなり、各側壁面７７，７９が構成する傾斜面に当たった空気を、効率良く前記収容部４１内に取り込むことができる。
【００８９】
また、使用する冷蔵庫では、庫内で空気が循環しており、空気の動きがある。このため、効率良く前記収容部４１内に空気を取り込むことができる。
【００９０】
これらによって、前述した作用効果が顕著となる。
【００９１】
なお、本実施の形態では、前記収容部４１に収容された収容物を平面形状に形成された前記脱臭シート７２で構成した場合に付いてのみ説明したが、これに限定されるものではない。
【００９２】
例えば、活性炭や消臭剤からなる粒状物をケースに収容して前記収容部４１に収容しても、直接前記収容部４１に収容しても、前述した効果を得ることができる。
【００９３】
前記容器１１内に芳香消臭剤を入れ、脱臭シート７２と併用する例について記載したが、脱臭シート７２のみの構造を有するれば良い。
【００９４】
また、悪臭を脱臭する脱臭シート７２について記載したが、揮散性の薬剤を含浸させたシート、例えば消臭薬剤を含浸させたシートを有する消臭剤や、芳香薬剤を含浸させたシートを有する芳香剤や、防虫薬剤を含浸させたシートを有する防虫剤等の物品に応用した場合は、揮散効率を向上させるという作用・効果を得ることができる。
【符号の説明】
【００９５】
１    収容部構造
１１    容器体
２２    前面
４１    収容部
５４    連通穴
７２    脱臭シート
７４    カバー側構成部材
７５    底部
７６    底部側構成部材
７７    左側壁面
７８    左間隙
７９    右側壁面
８０    右間隙
【図１】
0005779486.tif 000002
【図２】
0005779486.tif 000003
【図３】
0005779486.tif 000004
【図４】
0005779486.tif 000005
【図５】
0005779486.tif 000006
【図６】
0005779486.tif 000007